(57)【要約】【課題】観察者が対象物の質感をライブ的に感得することができるような表示技術を実現する。【解決手段】表示装置（１０）は、第一の位置に配置された対象物の撮像画像を撮像する対象物撮像部（１１）と、該撮像画像を、第一の位置とは異なる第二の位置に表示する表示部（１２）と、第二の位置における光環境を再現する再現光を、上記対象物に照射する光環境再現部（１３）と、を備えている。【選択図】図１
2017220838.tif 000002
【特許請求の範囲】
【請求項１】
第一の位置に配置された対象物の撮像画像を撮像する対象物撮像部と、
該撮像画像を、第一の位置とは異なる第二の位置に表示する表示部と、
第二の位置における光環境を再現する再現光を、上記対象物に照射する光環境再現部と、を備えていることを特徴とする表示装置。
【請求項２】
上記光環境再現部は、上記光環境を示す光環境画像を撮像する光環境撮像部を備え、当該光環境画像を参照して、上記再現光を生成することを特徴とする請求項１に記載の表示装置。
【請求項３】
上記光環境撮像部は、魚眼レンズを備えていることを特徴とする請求項２に記載の表示装置。
【請求項４】
上記光環境再現部は、第二の位置に表示された上記撮像画像を観察する観察者の観察位置を検出する観察位置検出部を備え、当該観察位置に応じて、上記再現光を変化させることを特徴とする請求項２または３に記載の表示装置。
【請求項５】
上記光環境再現部は、上記光環境画像から上記観察位置に応じた範囲の範囲画像を抽出する抽出部を備え、当該範囲画像を参照して、上記再現光を生成することを特徴とする請求項４に記載の表示装置。
【請求項６】
上記光環境再現部は、上記観察位置に応じて上記光環境撮像部を移動させる第一駆動部を備えていることを特徴とする請求項５に記載の表示装置。
【請求項７】
上記光環境再現部は、第二の位置に表示された上記撮像画像を観察する観察者の観察位置を検出する観察位置検出部を備え、当該観察位置に応じて、上記対象物撮像部および上記対象物の少なくとも一方を移動させる第二駆動部を備えていることを特徴とする請求項１〜３の何れか一項に記載の表示装置。
【請求項８】
上記光環境再現部は、上記再現光を上記対象物に照射する複数の発光素子を備えており、
該複数の発光素子は、第一の位置を囲む曲面上に配置されていることを特徴とする請求項１〜７の何れか一項に記載の表示装置。
【請求項９】
上記対象物撮像部は、上記曲面の中央部に配置されていることを特徴とする請求項８に記載の表示装置。
【請求項１０】
上記光環境再現部は、上記再現光を上記対象物に照射する平面状の表示面を有する映像表示装置を備えていることを特徴とする請求項１〜７の何れか一項に記載の表示装置。
【請求項１１】
上記光環境再現部は、上記再現光を上記対象物に照射する平面状の表示面を夫々有する複数の映像表示装置を備えており、
各映像表示装置の表示面は、第一の位置を囲むように配置されていることを特徴とする請求項１〜７の何れか一項に記載の表示装置。
【請求項１２】
上記撮像画像を、第一の位置および第二の位置とは異なる第三の位置に表示する追加表示部を備え、
上記光環境再現部は、第二の位置における光環境を再現する第一の再現光と、第三の位置における光環境を再現する第二の再現光とを排他的に上記対象物に照射し、
上記表示部は、第一の再現光が照射されている上記対象物を撮像した撮像画像を表示し、
上記追加表示部は、第二の再現光が照射されている上記対象物を撮像した撮像画像を表示するようになっていることを特徴とする請求項１〜１１の何れか一項に記載の表示装置。
【請求項１３】
第一の位置に配置された対象物に対して、第一の位置とは異なる第二の位置における光環境を再現する再現光を照射する光環境再現工程と、
該再現光が照射されている該対象物の撮像画像を撮像する対象物撮像工程と、
該撮像画像を第二の位置に表示する表示工程と、を包含することを特徴とする表示方法。
【発明の詳細な説明】
【技術分野】
【０００１】
本発明は、表示装置および表示方法に関する。
【背景技術】
【０００２】
特許文献１には、表示装置から該表示装置の外部に存在する光源へと向かう第１の方向と、表示装置から表示装置の観察者へと向かう第２の方向と、光源から表示装置へと照射される光の強度値と、輝度値と、の間の関連付けを示す入力データを入力する。既知の位置に配置された撮像装置を用いて撮像された光源の画像と、撮像装置と表示装置との位置姿勢関係とから、第１の方向と、第１の方向に存在する光源から表示装置に照射される光の強度と、を推定する。第２の方向を推定する。入力データを用いて、第１の推定手段が推定した第１の方向及び光の強度値並びに第２の推定手段が推定した第２の方向に対応する、輝度値を取得する。取得した輝度値に従う画像を生成して表示装置に出力することが記載されている。
【先行技術文献】
【特許文献】
【０００３】
【特許文献１】特開２０１２−１５５６２４号公報（２０１２年８月１６日公開）
【発明の概要】
【発明が解決しようとする課題】
【０００４】
しかしながら、上述のような従来技術は、予め入力されたデータに基づいて生成された画像を表示するものであるため、観察者が対象物の質感をライブ的に感得することができないという問題がある。
【０００５】
本発明は、前記の問題点に鑑みてなされたものであり、その目的は、観察者が対象物の質感をライブ的に感得することができるような表示技術を実現することにある。
【課題を解決するための手段】
【０００６】
上記の課題を解決するために、本発明の一態様に係る表示装置は、第一の位置に配置された対象物の撮像画像を撮像する対象物撮像部と、該撮像画像を、第一の位置とは異なる第二の位置に表示する表示部と、第二の位置における光環境を再現する再現光を、上記対象物に照射する光環境再現部と、を備えている。
【０００７】
また、本発明の一態様に係る表示方法は、第一の位置に配置された対象物に対して、第一の位置とは異なる第二の位置における光環境を再現する再現光を照射する光環境再現工程と、該再現光が照射されている該対象物の撮像画像を撮像する対象物撮像工程と、該撮像画像を第二の位置に表示する表示工程と、を包含する。
【発明の効果】
【０００８】
本発明の一態様によれば、観察者が対象物の十分な質感を感得することができる。
【図面の簡単な説明】
【０００９】
【図１】本発明の一実施形態に係る表示装置の概略構成を示すブロック図である。
【図２】本発明の一実施形態に係る表示装置の動作の一例を示すフローチャートである。
【図３】本発明の一実施形態における光環境再現部の要部構成を説明する図である。
【図４】本発明の一実施形態における光環境再現部の要部構成を説明する図である。
【図５】本発明の一実施形態における光環境再現部の要部構成を説明する図である。
【図６】本発明の一実施形態に係る表示装置の概略構成を示すブロック図である。
【図７】観察位置に応じて再現光を変化させることの作用効果を説明するための図である。
【図８】本発明の一実施形態における光環境再現部の動作を説明する図である。
【図９】本発明の一実施形態における光環境再現部の動作を説明する図である。
【図１０】本発明の一実施形態における光環境再現部の動作を説明する図である。
【図１１】本発明の一実施形態に係る表示装置の概略構成を示すブロック図である。
【発明を実施するための形態】
【００１０】
〔実施形態１〕
以下、本発明の実施の形態について、詳細に説明する。図１は、本発明の一実施形態（実施形態１）に係る表示装置１０の概略構成を示すブロック図である。図１に示すように、表示装置１０は、第一の位置に配置された対象物３の撮像画像を撮像する対象物撮像部１１と、対象物撮像部１１が撮像した撮像画像を、第一の位置とは異なる第二の位置に表示する表示部１２と、第二の位置における光環境を再現する再現光を、対象物３に照射する光環境再現部１３と、を備えている。
【００１１】
本明細書において、「光環境」とは、特定の位置に対して環境（周囲）から到来する光を意味し、直接光および間接光の両方を含む。「光環境を再現する」とは、当該光環境を模した光を他の位置に照射することを意味し、「光環境を再現する再現光」とは、当該他の位置に照射するための当該光環境を模した光を意味する。
【００１２】
表示装置１０によれば、対象物撮像部１１が対象物３の撮像画像を撮像し、表示部１２が当該撮像画像を表示することにより、観察者１は、遠隔地に配置された対象物３の撮像画像を観察することができる。このとき、光環境再現部１３が、第二の位置における光環境を再現する再現光を対象物３に照射することによって、対象物３に観察者１や観察者１の背景２が映り込んだり、対象物３が観察者１や背景２からの光を反射または拡散したりさせることができる。これにより、対象物３があたかも観察者１の目の前に置いてあるような状況を疑似的に作り出すことができ、表示部１２は、臨場感の高い対象物３の撮像画像をリアルタイムに表示することができる。これにより、観察者１は、対象物３の質感をライブ的に感得することができる。
【００１３】
例えば、同じ赤い布であっても、光沢感を有する赤なのか、光沢感のない赤なのかは、対象物３の照明の当て方に大きく依存し、照明の当て方によっては質感の差を感じない場合も生じる。観察者１や観察者１の背景２（例えば、照明）などの影響が対象物３の撮像画像に反映されない場合、観察者１が対象物３の質感を把握するのは難しい。これに対し、本実施形態によれば、光環境再現部１３が、第二の位置における光環境を再現する再現光を対象物３に照射することによって、表示部１２が表示する対象物３の撮像画像の質感を向上させることができる。
【００１４】
なお、対象物３が配置される第一の位置は、観察者１に対して遠隔地である必要はなく、撮像画像が表示される第二の位置とは異なる位置であればよい。但し、再現光による効果を高めるために、日光や外部の照明等が入らない位置であることが好ましい。
【００１５】
第二の位置は、表示部１２が撮像画像を表示し得る位置であれば特に限定されない。
【００１６】
背景２は、表示部１２が表示している撮像画像に対向している場所を指し、例えば、調度品、建造物、動植物、照明、太陽等を含む。
【００１７】
また、撮像画像は、静止画であってもよいし、動画であってもよい。また、撮像画像は、二次元画像であってもよいし、三次元画像であってもよい。また、撮像画像は、光環境の色彩を示すものであってもよいし、光の強度のみを示すものであってもよい。
【００１８】
対象物撮像部１１は、対象物３の撮像画像を撮像し得る撮像装置（例えば、カメラ）であればよい。また、対象物撮像部１１は、二次元画像を撮像する撮像装置であってもよいし、三次元画像を撮像する撮像装置（ステレオカメラ）であってもよい。
【００１９】
表示部１２は、対象物３の撮像画像を表示し得る表示装置（例えば、ディスプレイ、プロジェクタ）であればよい。また、表示部１２は、二次元画像を表示する表示装置であってもよいし、三次元画像を表示する表示装置（３Ｄディスプレイ）であってもよい。
【００２０】
光環境再現部１３は、第二の位置における光環境を再現する再現光を、対象物３に照射する。すなわち、光環境再現部１３は、第二の位置における光環境を検出し、検出した光環境を再現する再現光を生成して、対象物３に照射するものである。光環境再現部１３が第二の位置における光環境を検出する方法は特に限定されないが、本実施形態では、光環境再現部１３は、光環境撮像部１４を備え、光環境撮像部１４が、第二の位置における光環境を示す光環境画像を撮像する。
【００２１】
光環境画像は、第二の位置に環境（周囲）から到来する光について、光の方向毎の光の強度を示すものであればよく、例えば、第二の位置または第二の位置に隣接した位置に、観察者１側に向けて配置された光環境撮像部１４によって撮像された画像であってもよい。
【００２２】
光環境撮像部１４は、画像を撮像し得る撮像装置（例えば、カメラ）であり得るが、特に、魚眼レンズを備えたものが好ましい。魚眼レンズを備えた光環境撮像部１４を使用することにより、第二の位置に対して広い範囲の角度から到来する光を検出することができ、第二の位置における光環境を好適に示す光環境画像を得ることができる。
【００２３】
光環境再現部１３は、また、光環境撮像部１４が撮像した光環境画像を参照して、第二の位置における光環境を再現する再現光を生成し、生成した再現光を対象物３に照射する照射部１５を備えている。
【００２４】
照射部１５は、対象物３に向けて光を照射可能な照射装置である。照射部１５は、照射制御部１９を備えており、照射制御部１９は、光環境画像を参照して、第二の位置における光環境を再現する再現光を生成するように照射部１５を制御する。一実施形態において、照射制御部１９は、光環境画像が示す光の方向毎の光の強度に応じて、再現光における光の方向毎の光の強度を決定することにより、第二の位置における光環境を再現する再現光を、照射部１５に生成させることができる。
【００２５】
対象物撮像部１１が撮像した撮像画像は、通信経路８を介して、表示部１２に提供される。また、光環境撮像部１４が撮像した光環境画像は、通信経路８を介して、照射部１５の照射制御部１９に提供される。通信経路８は、ＨＤＭＩ（登録商標）等の有線接続であってもよいし、Ｂｌｕｅｔｏｏｔｈ（登録商標）、Ｗｉｆｉ（登録商標）等の無線接続であってもよいし、計算機のシステムを介した通信経路であってもよいし、ネットワーク（インターネット、クラウド等）を介した通信経路であってもよい。
【００２６】
図２は、本実施形態に係る表示装置の動作の一例を説明するフローチャートである。ステップＳ１において、光環境撮像部１４が、第二の位置における光環境を示す光環境画像を撮像する。そして、ステップＳ２において、照射部１５が、光環境画像を参照して、第二の位置における光環境を再現する再現光を対象物３に照射する（光環境再現工程）。そして、ステップＳ３において、対象物撮像部１１が、再現光が照射されている対象物３の撮像画像を撮像する（対象物撮像工程）。再現光が照射されている対象物３には、対象物３の表面が鏡面である場合には、観察者１や背景２が映り込み、対象物３の表面が散乱反射を有する面であれば、観察者１や背景２からの光を拡散した状況が映し出される。そして、ステップＳ４において、表示部１２は、対象物撮像部１１が撮像した撮像画像を表示する（表示工程）。
【００２７】
〔実施形態２〕
本発明の他の実施形態（実施形態２）について説明すれば、以下のとおりである。なお、説明の便宜上、前記実施形態にて説明した部材と同じ機能を有する部材については、同じ符号を付記し、その説明を省略する。本実施形態では、実施形態１において説明した光環境再現部１３について、より詳細な構成例を説明する。
【００２８】
図３は、本実施形態における光環境再現部１３の要部構成を説明する図である。図３の（ａ）は、光環境撮像部１４を示し、（ｂ）は、対象物撮像部１１および照射部１５を示す。
【００２９】
一実施形態において、光環境撮像部１４は、撮像素子と、光環境撮像部１４から半球状の領域（図３の（ａ）参照）にわたり撮影できる魚眼レンズとで構成されている。これにより、光環境撮像部１４は、光環境撮像部１４を中心とする半球座標上で示される（θ，φ）から到来する光の強度Ｌ（θ，φ）を、すべての半球面にわたって示す光環境画像を撮像することができる。なお、光環境撮像部１４は、表示部１２が表示している撮像画像側から観察者１側に向かう方向に撮像を行うようになっていることが好ましい。また、光環境撮像部１４は、魚眼レンズを備えていない構成であってもよい。
【００３０】
一実施形態において、照射部１５は、再現光を対象物３に照射する複数の発光素子１６を備えており、複数の発光素子１６は、第一の位置（対象物３）を囲む曲面上に配置されており、好ましくは、複数の発光素子１６は、第一の位置（対象物３）を中心とする半球体に敷き詰められるように配置されている。なお、対象物３における鏡面反射による顔の映しこみ等を実現したい場合には、発光素子１６を、顔が表現できるほどの密度で配列させることが望ましい。
【００３１】
また、図３の（ｂ）に示すように、上記曲面の中央部（半球の頂上部）に、対象物撮像部１１が配置されていることが好ましい。これにより、対象物撮像部１１は、対象物３における再現光が照射されている面を好適に撮像することができる。
【００３２】
照射制御部１９は、光環境画像が示す光の方向毎の光の強度に応じて、再現光における光の方向毎の光の強度を決定する。光環境画像が（θ，φ）方向から到来する光の強度がＬ（θ，φ）であることを示していた場合、照射制御部１９は、再現光において、対象物３（が配置される第一の位置）に（θ，φ）方向で入射する光の強度を、Ｌ（θ，φ）に応じたＬ’（θ，φ）と決定し、決定した光の強度の再現光を対象物３に照射するよう各発光素子１６を制御する。例えば、照射制御部１９は、図３の（ａ）に示すＡから到来する光の強度に応じて、発光素子１６ａが照射する光の強度を制御する。Ｌ’（θ，φ）は、Ｌ（θ，φ）に対して増加の特性を有することが好ましく、単純増加の関係であることがより好ましく、例えば、線形比例の関係、ガンマ特性の関係等であってもよい。
【００３３】
また、光環境画像は、（θ，φ）方向から到来する光の強度を、赤、緑、青の色成分毎に示すものであってもよい。すなわち、光環境画像が（θ，φ）方向から到来する赤、緑、青の光の強度がそれぞれＬｒ（θ，φ），Ｌｇ（θ，φ），Ｌｂ（θ，φ）であることを示していた場合、照射制御部１９は、再現光において、対象物３（が配置される第一の位置）に（θ，φ）方向で入射する赤、緑、青の光の強度を、Ｌｒ（θ，φ），Ｌｇ（θ，φ），Ｌｂ（θ，φ）にそれぞれ応じたＬｒ’（θ，φ），Ｌｇ’（θ，φ），Ｌｂ’（θ，φ）と決定し、決定した光の強度の再現光を対象物３に照射するよう各発光素子１６を制御してもよい。Ｌｒ’（θ，φ），Ｌｇ’（θ，φ），Ｌｂ’（θ，φ）は、夫々、Ｌｒ（θ，φ），Ｌｇ（θ，φ），Ｌｂ（θ，φ）に対して増加の特性を有することが好ましく、単純増加の関係であることがより好ましく、例えば、線形比例の関係、ガンマ特性の関係等であってもよい。
【００３４】
〔実施形態３〕
本発明の他の実施形態（実施形態３）について説明すれば、以下のとおりである。なお、説明の便宜上、前記実施形態にて説明した部材と同じ機能を有する部材については、同じ符号を付記し、その説明を省略する。本実施形態では、実施形態１において説明した光環境再現部１３について、別の詳細な構成例を説明する。
【００３５】
図４は、本実施形態における光環境再現部１３の要部構成を説明する図である。図４の（ａ）は、対象物撮像部１１および照射部１５を示し、（ｂ）は、光環境撮像部１４を示し、（ｃ）は、映像表示装置１７の表示面を示す。
【００３６】
一実施形態において、光環境撮像部１４は、実施形態２と同様に、撮像素子と、光環境撮像部１４から半球状の領域にわたり撮影できる魚眼レンズとで構成されている。これにより、光環境撮像部１４は、光環境撮像部１４を中心とする半球座標上で示される（θ，φ）から到来する光の強度Ｌ（θ，φ）を、すべての半球面にわたって示す光環境画像を撮像することができる。なお、図４の（ｂ）は、φが規定される平面に直交する方向から観察した図であるため、θのみが示されている。なお、光環境撮像部１４は、魚眼レンズを備えていない構成であってもよい。
【００３７】
一実施形態において、照射部１５は、再現光を対象物３に照射する平面状の表示面を有する映像表示装置１７を備えている。映像表示装置１７は、映像表示装置１７の表示面が、対象物３に向くように配置されており、対象物撮像部１１は、対象物３における映像表示装置１７に対向する面を撮像するように配置されている。映像表示装置１７は、汎用の映像表示装置であってよく、例えば、液晶ディスプレイであり得る。
【００３８】
照射制御部１９は、光環境画像が示す光の方向毎の光の強度に応じて、再現光における光の方向毎の光の強度を決定し、映像表示装置１７の表示面上における各光の方向に対応する位置の輝度が、当該光の方向に対応する光の強度に相当するように、映像表示装置１７を制御する。なお、映像表示装置１７の表示面上における各光の方向に対応する位置は、１または複数の画素によって構成され得る。詳細には、光環境画像が（θ，φ）方向から到来する光の強度がＬ（θ，φ）であることを示していた場合、照射制御部１９は、第一の位置（対象物３）から映像表示装置１７の表示面に向かう直線であって、当該直線と、当該表示面の法線方向（図中ｚ軸）とがなす角度が（θ，φ）となるような直線と、当該表示面とが交わる位置を中心とした当該表面上の所定数の画素の輝度が、Ｌ（θ，φ）に対応するＬ’（θ，φ）に相当するように映像表示装置１７を制御する（図４の（ａ）および（ｃ）参照）。例えば、照射制御部１９は、図４の（ｂ）に示すＡから到来する光の強度に応じて、映像表示装置１７の表示面上の位置１７ａにおける輝度を制御する。Ｌ’（θ，φ）は、Ｌ（θ，φ）に対して増加の特性を有することが好ましく、単純増加の関係であることがより好ましく、例えば、線形比例の関係、ガンマ特性の関係等であってもよい。
【００３９】
一実施形態において、照射制御部１９は、光環境画像を画像処理し、得られた画像を映像表示装置１７に表示させるようになっていてもよい。
【００４０】
本実施形態では、実施形態２に比べ、対象物３に対する入射角θ、φが２／πに近い領域について、再現光を照射することはできないが、市販のディスプレイ、テレビ等を映像表示装置１７として利用することができるため、表示装置１０の構築を容易に実現することができる。
【００４１】
〔実施形態４〕
本発明の他の実施形態（実施形態４）について説明すれば、以下のとおりである。なお、説明の便宜上、前記実施形態にて説明した部材と同じ機能を有する部材については、同じ符号を付記し、その説明を省略する。本実施形態は、照射部１５が備える映像表示装置が複数である点において、実施形態３と異なっている。
【００４２】
図５は、本実施形態における光環境再現部１３の要部構成を説明する図である。図５の（ａ）は、対象物撮像部１１および照射部１５を示し、（ｂ）は、光環境撮像部１４を示し、（ｃ）は、映像表示装置１８ａ〜ｄの表示面を示す。
【００４３】
図５の（ａ）に示すように、照射部１５は、再現光を対象物３に照射する平面状の表示面を夫々有する複数の映像表示装置１８ａ〜ｄを備えており、各映像表示装置１８ａ〜ｄの表示面は、第一の位置（対象物３）に向けて、第一の位置（対象物３）を囲むように配置されている。対象物撮像部１１は、対象物３における映像表示装置１８ａ〜ｄに対向する面を撮像するように配置されている。映像表示装置１８ａ〜ｄは、汎用の映像表示装置であってよく、例えば、液晶ディスプレイであり得る。なお、映像表示装置の数は、４個に限定されず、２以上の任意の数とすることができる。特に、映像表示装置の数を増大させ、各表示面を略円周上に配置することが好ましい。また、五角形または六角形の表示面を有する映像表示装置を用いることにより、各表示面が多面体を形成するように配置してもよい。
【００４４】
照射制御部１９は、実施形態３と同様に、光環境画像が示す光の方向毎の光の強度に応じて、再現光における光の方向毎の光の強度を決定し、映像表示装置１８ａ〜ｄの各表示面上における各光の方向に対応する位置の輝度が、当該光の方向に対応する光の強度に相当するように、映像表示装置１８ａ〜ｄを制御する。
【００４５】
一実施形態において、照射制御部１９は、光環境画像を画像処理し、得られた画像を映像表示装置１８ａ〜ｄに分配して表示させるようになっていてもよい。
【００４６】
本実施形態では、実施形態３に比べ、対象物３に対する入射角θ、φが２／πに近い領域についても再現光を照射することができるという利点を有する。
【００４７】
〔実施形態５〕
本発明の他の実施形態（実施形態５）について説明すれば、以下のとおりである。なお、説明の便宜上、前記実施形態にて説明した部材と同じ機能を有する部材については、同じ符号を付記し、その説明を省略する。
【００４８】
図６は、本実施形態に係る表示装置２０の概略構成を示すブロック図である。図６に示すように、表示装置２０は、実施形態１における光環境再現部１３に替えて、光環境再現部２３を備えている。光環境再現部２３は、光環境撮像部２４、照射部２５、および、観察位置検出部２１を備えている。観察位置検出部２１は、第二の位置に表示された撮像画像を観察する観察者１の観察位置を検出する。照射部２５は、照射制御部２９を備えている。照射制御部２９は、観察位置検出部２１が検出した観察位置に応じて、再現光を変化させる。
【００４９】
表示装置２０によれば、観察位置検出部２１が検出した観察位置に応じて、再現光を変化させることができるため、観察者１の動きと、表示部１２が表示する対象物３の撮像画像とにインタラクティブな関係性を付与することができる。これにより、観察者１が対象物３の質感を容易に感得することができる。このことについて、以下、説明する。
【００５０】
図７は、観察位置に応じて再現光を変化させることの作用効果を説明するための図である。図７では、観察者１が、対象物４を直接観察した場合を想定している。図７の（ａ）に示すように、観察者１の目１ａが位置Ｖにあり、対象物４の注視点Ｏを注視するとき、観察者１の目１ａに写る対象物４の表面は、背景２における位置Ｌからの光の影響を最も大きく受ける。すなわち、位置Ｖと注視点Ｏとを結ぶベクトルと、対象物４表面の法線方向とがなす角βの大きさと、対象物４表面の法線方向と、位置Ｌと注視点Ｏとを結ぶベクトルとがなす角αの大きさとは等しくなる。すなわち、αは入射角、βは反射角に相当する。ここで、注視点Ｏが鏡面であれば、目１ａが位置Ｖにあるときは、位置Ｌの背景２が観察される。そして、目１ａの位置がＶ’に移動すると、位置Ｌ’の背景２が観察される。完全な鏡面でなくても、目１ａが位置Ｖにあるときは、位置Ｌからの光の影響が最も大きく、目１ａが位置Ｖ’にあるときは、位置Ｌ’からの光の影響が最も大きいといえる。
【００５１】
このように、観察者１が、対象物４を直接観察した場合、観察者１の視点が変わると、対象物４に対する背景２からの光の影響も変化する。そこで、本実施形態では、観察位置検出部２１が検出した観察位置に応じて、光環境再現部２３が照射する再現光を変化させ、表示部１２が表示する撮像画像を変化させることによって、疑似的に、観察者１が観察点をずらした時に現れる対象物３の表面上の反射等の変化を模擬する。これにより、特に金属光沢等の質感を向上させることができる。
【００５２】
観察位置検出部２１は、観察者の目（眼球）１ａの位置、目１ａを含む顔の位置、または、観察者１の立っている位置を、観察位置として検出する。観察位置検出部２１が、観察位置を検出する方法は、種々の公知の方法を用いることができる。例えば、観察位置検出部２１は、光環境撮像部２４が撮像した光環境画像から、顔認識、眼球認識、人物認識等の画像処理を行い、環境内における観察者１の観察位置を検出してもよい。また、観察位置検出部２１は、観察者１に磁気発生装置を取り付け、観察者１の位置を、磁気センサーにより検出してもよいし、観察者１に認識用マークを付し、複数のカメラにより、観察者１の位置を検出してもよい。
【００５３】
続いて、光環境再現部２３が、観察位置の変化に応じて、どのように再現光を変化させるのかについて説明する。以下では、説明の簡略化のために、観察対象の面と平行に観察位置が移動する場合について説明するが、本発明をこれに限定するものではなく、観察位置が、観察対象の面と垂直な方向に移動する場合についても、同様に模擬することができる。
【００５４】
図７の（ｂ）は、観察者１が、対象物４を直接観察した場合に、観察者１が観察位置を動かしたときに、対象物４の点ａおよびｂの見え方がどのように変化するのかについて説明するための図である。図７の（ｂ）に示すように、観察者１の目１ａが位置Ｖにあるとき、対象物４の点ａの見え方は、背景２の位置Ａの光の影響を最も大きく受け、対象物４の点ｂの見え方は、背景２の位置Ｂの光の影響を最も大きく受けることになる。すなわち、目１ａが位置Ｖにあるとき、対象物４における点ａ−ｂの区間は、背景２における領域Ｒ（位置Ａ−Ｂの区間）の影響を最も大きく受けることになる。
【００５５】
そして、観察者１が目１ａの位置を位置Ｖから位置Ｖ’にずらした場合、対象物４の点ａの見え方は、背景２の位置Ａ’の光の影響を最も大きく受け、対象物４の点ｂの見え方は、背景２の位置Ｂ’の光の影響を最も大きく受けることになる。すなわち、目１ａが位置Ｖ’にあるとき、対象物４における点ａ−ｂの区間は、背景２における領域Ｒ’（位置Ａ’−Ｂ’の区間）の影響を最も大きく受けることになる。
【００５６】
そして、図７の（ｂ）に示すように、観察者１（の目１ａ）が左方向に移動した場合、背景２において観察対象に対して最も影響を与える領域は、領域Ｒから領域Ｒ’へと、右方向に移動する。反対に、観察者１（の目１ａ）が右方向に移動した場合、背景２において観察対象に対して最も影響を与える領域は、領域Ｒから領域Ｒ’へと、左方向に移動する。
【００５７】
従って、観察者１（の目１ａ）の移動方向と逆の方向に、再現すべき光環境の領域をシフトすることによって、疑似的に観察者１が位置をずらした場合における対象物３の反射の変化を疑似的に表現できる。
【００５８】
図８は、本実施形態における表示装置２０の動作を説明する図である。図８では、説明を簡便にするために、照射部２５を、平面状の表示面を有する映像表示装置によって実現した構成（実施形態２）を前提に説明するが、本実施形態はこれに限定されず、他の実施形態に対しても適用することができる。
【００５９】
図８の（ａ）に示すように、光環境撮像部２４は、背景２の領域Ｒおよび領域Ｒ’の両方を含む光環境を撮像して光環境画像を取得している。このとき、観察位置検出部２１は、観察位置（観察者１の目１ａの位置）が位置Ｖから位置Ｖ’へ移動したことを検出したものとする。
【００６０】
そして、図８の（ｂ）に示すように、照射制御部（抽出部）２９は、観察位置検出部２１が検出した観察位置に応じた範囲の範囲画像を、光環境撮像部２４が撮像した光環境画像から抽出（クロップ）し、抽出した範囲画像を参照して、照射部２５に再現光を生成させる。
【００６１】
すなわち、観察位置が位置Ｖである場合には、照射制御部２９は、光環境撮像部２４が撮像した光環境画像から、領域Ｒ（位置Ａ−Ｂの区間）の範囲画像を抽出し、当該範囲画像が示す光環境を再現する再現光を対象物３に照射するよう照射部２５を制御する。これにより、対象物３の点ａには、背景２の位置Ａからの光を模した再現光が照射され、対象物３の点ｂには、背景２の位置Ｂからの光を模した再現光が照射された状態で、対象物撮像部１１が対象物３を撮像する。そして、表示部１２が、対象物撮像部１１が撮像した撮像画像を表示する。
【００６２】
観察者がＶからＶ’の位置に移動した場合には、照射制御部２９は、光環境撮像部２４が撮像した光環境画像から、領域Ｒ’（位置Ａ’−Ｂ’の区間）の範囲画像を抽出し、当該範囲画像が示す光環境を再現する再現光を対象物３に照射するよう照射部２５を制御する。これにより、対象物３の点ａには、背景２の位置Ａ’からの光を模した再現光が照射され、対象物３の点ｂには、背景２の位置Ｂ’からの光を模した再現光が照射された状態で、対象物撮像部１１が対象物３を撮像する。そして、表示部１２が、対象物撮像部１１が撮像した撮像画像を表示する。
【００６３】
このように、照射制御部２９が、観察位置によって、対象物３に照射される再現光を生成するために参照する光環境画像の範囲をずらすことにより、疑似的に、観察者１が観察点をずらした時に現れる対象物３の表面上の反射等の変化を模擬し、質感を向上させることができる。
【００６４】
〔実施形態６〕
本発明の他の実施形態（実施形態６）について説明すれば、以下のとおりである。なお、説明の便宜上、前記実施形態にて説明した部材と同じ機能を有する部材については、同じ符号を付記し、その説明を省略する。本実施形態は、照射制御部２９が、光環境画像から範囲画像を抽出する替わりに、光環境撮像部２４を移動させるようになっている点において、実施形態５と異なっている。
【００６５】
図９は、本実施形態における表示装置２０の動作を説明する図である。図９では、説明を簡便にするために、照射部２５を、平面状の表示面を有する映像表示装置によって実現した構成（実施形態２）を前提に説明するが、本実施形態はこれに限定されず、他の実施形態に対しても適用することができる。
【００６６】
本実施形態における照射制御部２９は、観察位置検出部２１が検出した観察位置に応じて、光環境撮像部２４を移動させることにより、背景２において、光環境撮像部２４が撮像する領域を変化させる。
【００６７】
光環境撮像部２４は、アクチュエータ等によって構成される第一駆動部を備えており、照射制御部２９による制御に応じて、平行移動または回転移動が可能に構成されている。
【００６８】
図９の（ａ）に示すように、観察位置検出部２１が検出した観察位置（観察者１の目１ａの位置）が位置Ｖであるとき、照射制御部２９は、光環境撮像部２４を移動させて、主として領域Ｒを含む光環境を撮像するように制御する。一方、観察位置検出部２１が検出した観察位置が位置Ｖ’であるとき、照射制御部２９は、光環境撮像部２４を移動させて、主として領域Ｒ’を含む光環境を撮像するように制御する。
【００６９】
そして、図９の（ｂ）に示すように、照射制御部２９は、光環境撮像部２４が撮像した光環境画像を参照して、照射部２５に再現光を生成させる。
【００７０】
これにより、観察位置が位置Ｖである場合には、対象物３の点ａには、背景２の位置Ａからの光を模した再現光が照射され、対象物３の点ｂには、背景２の位置Ｂからの光を模した再現光が照射された状態で、対象物撮像部１１が対象物３を撮像する。そして、表示部１２が、対象物撮像部１１が撮像した撮像画像を表示する。
【００７１】
観察者がＶからＶ’の位置に移動した場合には、対象物３の点ａには、背景２の位置Ａ’からの光を模した再現光が照射され、対象物３の点ｂには、背景２の位置Ｂ’からの光を模した再現光が照射された状態で、対象物撮像部１１が対象物３を撮像する。そして、表示部１２が、対象物撮像部１１が撮像した撮像画像を表示する。
【００７２】
このように、照射制御部２９が、観察位置によって、光環境撮像部２４を移動させて、光環境撮像部２４が撮像する光環境の範囲をずらすことにより、疑似的に、観察者１が観察点をずらした時に現れる対象物３の表面上の反射等の変化を模擬し、質感を向上させることができる。
【００７３】
〔実施形態７〕
本発明の他の実施形態（実施形態７）について説明すれば、以下のとおりである。なお、説明の便宜上、前記実施形態にて説明した部材と同じ機能を有する部材については、同じ符号を付記し、その説明を省略する。本実施形態は、照射制御部２９が、光環境画像から範囲画像を抽出する替わりに、対象物撮像部１１および対象物３の少なくとも一方を移動させるようになっている点において、実施形態５と異なっている。
【００７４】
図１０は、本実施形態における表示装置２０の動作を説明する図である。図１０では、説明を簡便にするために、照射部２５を、平面状の表示面を有する映像表示装置によって実現した構成（実施形態２）を前提に説明するが、本実施形態はこれに限定されず、他の実施形態に対しても適用することができる。
【００７５】
本実施形態における照射制御部２９は、観察位置検出部２１が検出した観察位置に応じて、対象物撮像部１１および対象物３の少なくとも一方を移動させることにより、対象物３に対して照射部２５が照射する環境光の影響を変化させる。
【００７６】
表示装置２０は、アクチュエータ等によって構成される第二駆動部を備えており、照射制御部２９による制御に応じて、対象物撮像部１１および対象物３の少なくとも一方を、平行移動または回転移動させるように構成されている。
【００７７】
図１０の（ａ）に示すように、光環境撮像部２４は、背景２の領域Ｒおよび領域Ｒ’の両方を含む光環境を撮像して光環境画像を取得している。このとき、観察位置検出部２１は、観察位置（観察者１の目１ａの位置）が位置Ｖから位置Ｖ’へ移動したことを検出したものとする。
【００７８】
そして、図１０の（ｂ）に示すように、照射制御部２９は、光環境撮像部２４が撮像した光環境画像を参照して、照射部２５に再現光を生成させる。このとき、照射制御部２９は、観察位置が位置Ｖから位置Ｖ’へ移動したことに応じて、対象物撮像部１１を位置Ｖから位置Ｖ’へと移動させる。
【００７９】
これにより、観察位置が位置Ｖである場合には、対象物３の点ａには、背景２の位置Ａからの光を模した再現光が照射され、対象物３の点ｂには、背景２の位置Ｂからの光を模した再現光が照射された状態で、対象物撮像部１１が対象物３を撮像する。そして、表示部１２が、対象物撮像部１１が撮像した撮像画像を表示する。
【００８０】
観察者がＶからＶ’の位置に移動した場合には、対象物３の点ａには、背景２の位置Ａ’からの光を模した再現光が照射され、対象物３の点ｂには、背景２の位置Ｂ’からの光を模した再現光が照射された状態で、対象物撮像部１１が対象物３を撮像する。そして、表示部１２が、対象物撮像部１１が撮像した撮像画像を表示する。
【００８１】
また、照射制御部２９は、観察位置が位置Ｖから位置Ｖ’へ移動したことに応じて、対象物３を移動させるように構成しても、同様の効果を得ることができる。
【００８２】
このように、照射制御部２９が、観察位置によって、対象物撮像部１１および対象物３の少なくとも一方を移動させて、対象物撮像部１１から見たときの、対象物３の表面に影響する（例えば、映り込む）再現光の位置を変化させることにより、観察位置が変化したときに、対象物３の表面に影響する光を変化させることができ、観察者１の動きと、表示部１２が表示する対象物３の撮像画像とにインタラクティブな関係性を付与することができる。これにより、観察者１が対象物３の質感を容易に感得することができる。
【００８３】
〔実施形態８〕
本発明の他の実施形態（実施形態８）について説明すれば、以下のとおりである。なお、説明の便宜上、前記実施形態にて説明した部材と同じ機能を有する部材については、同じ符号を付記し、その説明を省略する。本実施形態では、遠隔にいる複数の観察者の各々が、対象物の撮像画像を観察するために、切り替え機構を設けた構成について説明する。なお、本実施形態では、２人の観察者が遠隔から対象物３を観察する場合について述べるが、本発明はこれに限定されず、３人以上の観察者が遠隔から対象物３を観察するように構成されていてもよい。
【００８４】
図１１は、本実施形態に係る表示装置５０の概略構成を示すブロック図である。図１１に示すように、表示装置５０は、対象物撮像部１１、表示部１２、光環境撮像部（光環境再現部）１４および照射部（光環境再現部）１５に加えて、同期制御部５１、第一の位置および第二の位置とは異なる第三の位置に撮像画像を表示する表示部（追加表示部）５２、第三の位置における光環境を撮像する光環境撮像部（光環境再現部）５４、ならびに、信号選択部５５、５６および５７を備えている。
【００８５】
照射部１５には、信号選択部５５が接続されている。信号選択部５５は、照射部１５の照射制御部１９に接続される端子５５ａ、光環境撮像部１４に接続される端子５５ｂ、および、光環境撮像部５４に接続される端子５５ｃを備えている。信号選択部５５は、同期制御部５１からの信号によって、光環境撮像部１４から入力された光環境画像を照射制御部１９に出力するか、光環境撮像部５４から入力された光環境画像を照射制御部１９に出力するか、を切り替える。
【００８６】
表示部１２には、信号選択部５６が接続されている。信号選択部５６は、表示部１２に接続される端子５６ａ、対象物撮像部１１に接続される端子５６ｂ、直前に入力された撮像画像を保持する映像信号保持部５６ｄ、および、映像信号保持部５６ｄに接続される端子５６ｃを備えている。信号選択部５６は、同期制御部５１からの信号によって、対象物撮像部１１から入力された撮像画像を表示部１２に出力するか、映像信号保持部５６ｄに保持された撮像画像を表示部１２に出力するか、を切り替える。
【００８７】
表示部５２には、信号選択部５７が接続されている。信号選択部５７は、表示部５２に接続される端子５７ａ、対象物撮像部１１に接続される端子５７ｂ、直前に入力された撮像画像を保持する映像信号保持部５７ｄ、および、映像信号保持部５７ｄに接続される端子５７ｃを備えている。信号選択部５７は、同期制御部５１からの信号によって、対象物撮像部１１から入力された撮像画像を表示部５２に出力するか、映像信号保持部５７ｄに保持された撮像画像を表示部５２に出力するか、を切り替える。
【００８８】
同期制御部５１は、１箇所に集約されていてもいいし、照射部１５、表示部１２、表示部５２に分散して実装され、それぞれが、別の同期制御信号に基づき、互いが通信しあうことにより、同期の制御が実現されてもよい。
【００８９】
そして、ある時刻ｔ＝１においては、同期制御部５１によって、信号選択部５５では端子５５ａと端子５５ｂとが接続され、信号選択部５６では端子５６ａと端子５６ｂとが接続され、信号選択部５７では端子５７ａと端子５７ｃとが接続される。これにより、照射部１５は、第二の位置における光環境を再現する第一の再現光を対象物３に照射し、観察者１は、表示部１２を通じて、対象物３の撮像画像を、あたかも自らのいる環境下におけるように観察することができる。一方、表示部５２は、ひとつ前の時刻における対象物３の撮像画像を表示する。
【００９０】
一方、ある時刻ｔ＝２においては、同期制御部５１によって、信号選択部５５では端子５５ａと端子５５ｃとが接続され、信号選択部５６では端子５６ａと端子５６ｃとが接続され、信号選択部５７では端子５７ａと端子５７ｂとが接続される。これにより、照射部１５は、第三の位置における光環境を再現する第二の再現光を対象物３に照射し、観察者５は、表示部１２を通じて、対象物３の撮像画像を、あたかも自らのいる環境下におけるように観察することができる。一方、表示部１２は、ひとつ前の時刻における対象物３の撮像画像を表示する。
【００９１】
そして、同期制御部５１は、ｔ＝１の状態とｔ＝２の状態を、例えば１／３０［ｓｅｃ］ごとに切り替える。このような仕組みにより、複数の観察者１、５がそれぞれの光環境を再現する再現光に照らされた状態における対象物３を観察できる。
【００９２】
以上のように、光環境撮像部１４、光環境撮像部５４、照射部１５、同期制御部５１、および、信号選択部５５〜５７によって構成される光環境再現部を、第二の位置における光環境を再現する第一の再現光と、第三の位置における光環境を再現する第二の再現光とを排他的に対象物３に照射するように構成し、表示部１２は、第一の再現光が照射されている対象物３を撮像した撮像画像を表示し、表示部４２は、第二の再現光が照射されている対象物３を撮像した撮像画像を表示するように構成することにより、複数の観察者の各々が、対象物３の撮像画像を首尾よく観察することができる。
【００９３】
なお、照射部１５を、映像表示装置によって実現する場合、高速な切替を首尾よく行うため、液晶ディスプレイによって構成することが好ましい。
【００９４】
また、信号選択部を設ける替わりに、通信経路８では、データを多重化して送信し、データを受け取った照射部１５、表示部１２および表示部５２において必要なデータを取捨選択するようにしてもよい。
【００９５】
〔ソフトウェアによる実現例〕
表示装置１０、２０、５０の制御ブロック（特に照射制御部１９および２９）は、集積回路（ＩＣチップ）等に形成された論理回路（ハードウェア）によって実現してもよいし、ＣＰＵ（Central Processing Unit）を用いてソフトウェアによって実現してもよい。
【００９６】
後者の場合、表示装置１０、２０、５０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００９７】
〔まとめ〕
本発明の態様１に係る表示装置（１０、２０、５０）は、第一の位置に配置された対象物（３）の撮像画像を撮像する対象物撮像部（１１）と、該撮像画像を、第一の位置とは異なる第二の位置に表示する表示部（１２）と、第二の位置における光環境を再現する再現光を、上記対象物に照射する光環境再現部（１３）と、を備えている。
【００９８】
上記の構成によれば、対象物撮像部が対象物の撮像画像を撮像し、表示部が当該撮像画像を表示することにより、観察者は、対象物の撮像画像を観察することができる。このとき、光環境再現部が、第二の位置における光環境を再現する再現光を対象物に照射することによって、対象物があたかも観察者の目の前に置いてあるような状況を疑似的に作り出すことができ、表示部は、臨場感の高い対象物の撮像画像をリアルタイムに表示することができる。これにより、観察者は、対象物の質感をライブ的に感得することができる。
【００９９】
本発明の態様２に係る表示装置は、上記態様１において、上記光環境再現部は、上記光環境を示す光環境画像を撮像する光環境撮像部（１４）を備え、当該光環境画像を参照して、上記再現光を生成するものであってもよい。
【０１００】
上記の構成によれば、光環境再現部は、光環境撮像部が撮像した光環境画像を参照することにより、再現光を好適に生成することができる。
【０１０１】
本発明の態様３に係る表示装置は、上記態様２において、上記光環境撮像部は、魚眼レンズを備えているであってもよい。
【０１０２】
上記の構成によれば、光環境撮像部が、第二の位置に対して広い範囲の角度から到来する光を検出することができ、第二の位置における光環境を好適に示す光環境画像を得ることができる。
【０１０３】
本発明の態様４に係る表示装置は、上記態様２または３において、上記光環境再現部は、第二の位置に表示された上記撮像画像を観察する観察者（１）の観察位置を検出する観察位置検出部（２１）を備え、当該観察位置に応じて、上記再現光を変化させるものであってもよい。
【０１０４】
上記の構成によれば、観察位置検出部が検出した観察位置に応じて、再現光を変化させることができるため、観察者の動きと、表示部が表示する対象物の撮像画像とにインタラクティブな関係性を付与することができる。これにより、観察者が対象物の質感を容易に感得することができる。
【０１０５】
本発明の態様５に係る表示装置は、上記態様４において、上記光環境再現部は、上記光環境画像から上記観察位置に応じた範囲の範囲画像を抽出する抽出部（照射制御部２９）を備え、当該範囲画像を参照して、上記再現光を生成するものであってもよい。
【０１０６】
上記の構成によれば、観察位置によって、対象物に照射される再現光を生成するために参照する光環境画像の範囲をずらすことにより、疑似的に、観察者が観察点をずらした時に現れる対象物の表面上の反射等の変化を模擬し、質感を向上させることができる。
【０１０７】
本発明の態様６に係る表示装置は、上記態様５において、上記光環境再現部は、上記観察位置に応じて上記光環境撮像部を移動させる第一駆動部を備えているものであってもよい。
【０１０８】
上記の構成によれば、観察位置によって、光環境撮像部を移動させて、光環境撮像部が撮像する光環境の範囲をずらすことにより、疑似的に、観察者が観察点をずらした時に現れる対象物の表面上の反射等の変化を模擬し、質感を向上させることができる。
【０１０９】
本発明の態様７に係る表示装置は、上記態様１〜３において、上記光環境再現部は、第二の位置に表示された上記撮像画像を観察する観察者（１）の観察位置を検出する観察位置検出部（２１）を備え、当該観察位置に応じて、上記対象物撮像部および上記対象物の少なくとも一方を移動させる第二駆動部を備えているものであってもよい。
【０１１０】
上記の構成によれば、観察位置によって、対象物撮像部および対象物の少なくとも一方を移動させて、対象物撮像部から見たときの、対象物の表面に影響する（例えば、映り込む）再現光の位置を変化させることにより、観察位置が変化したときに、対象物の表面に影響する光を変化させることができ、観察者の動きと、表示部が表示する対象物の撮像画像とにインタラクティブな関係性を付与することができる。これにより、観察者が対象物の質感を容易に感得することができる。
【０１１１】
本発明の態様８に係る表示装置は、上記態様１〜７において、上記光環境再現部は、上記再現光を上記対象物に照射する複数の発光素子（１６）を備えており、該複数の発光素子は、第一の位置を囲む曲面上に配置されていてもよい。
【０１１２】
上記の構成によれば、再現光を好適に対象物に照射することができる。
【０１１３】
本発明の態様９に係る表示装置は、上記態様８において、上記対象物撮像部は、上記曲面の中央部に配置されていてもよい。
【０１１４】
上記の構成によれば、対象物撮像部は、対象物における再現光が照射されている面を好適に撮像することができる。
【０１１５】
本発明の態様１０に係る表示装置は、上記態様１〜７において、上記光環境再現部は、上記再現光を上記対象物に照射する平面状の表示面を有する映像表示装置（１７）を備えていてもよい。
【０１１６】
上記の構成によれば、光環境再現部を簡易に構成することができる。
【０１１７】
本発明の態様１１に係る表示装置は、上記態様１〜７において、上記光環境再現部は、上記再現光を上記対象物に照射する平面状の表示面を夫々有する複数の映像表示装置（１８ａ〜ｄ）を備えており、各映像表示装置の表示面は、第一の位置を囲むように配置されていてもよい。
【０１１８】
上記の構成によれば、光環境再現部を簡易に構成することができると共に、対象物の広い範囲に対して再現光を照射することができる。
【０１１９】
本発明の態様１２に係る表示装置は、上記態様１〜１１において、上記撮像画像を、第一の位置および第二の位置とは異なる第三の位置に表示する追加表示部（表示部５２）を備え、上記光環境再現部は、第二の位置における光環境を再現する第一の再現光と、第三の位置における光環境を再現する第二の再現光とを排他的に上記対象物に照射し、上記表示部は、第一の再現光が照射されている上記対象物を撮像した撮像画像を表示し、上記追加表示部は、第二の再現光が照射されている上記対象物を撮像した撮像画像を表示するようになっているものであってもよい。
【０１２０】
上記の構成によれば、複数の観察者の各々が、対象物の撮像画像を首尾よく観察することができる。
【０１２１】
本発明の態様１３に係る表示方法は、第一の位置に配置された対象物（３）に対して、第一の位置とは異なる第二の位置における光環境を再現する再現光を照射する光環境再現工程と、該再現光が照射されている該対象物の撮像画像を撮像する対象物撮像工程と、該撮像画像を第二の位置に表示する表示工程と、を包含する。
【０１２２】
上記の構成によれば、本発明の態様１に係る表示装置と同等の効果を奏する。
【０１２３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２４】
１  観察者
３  対象物
１０  表示装置
１１  対象物撮像部
１２  表示部
１３  光環境再現部
１４  光環境撮像部
１５  照射部
１６  発光素子
１７、１８ａ〜ｄ  映像表示装置
１９  照射制御部
２０  表示装置
２１  観察位置検出部
２３  光環境再現部
２４  光環境撮像部
２５  照射部
２９  照射制御部（抽出部）
５０  表示装置
５１  同期制御部
５２  表示部（追加表示部）
５４  光環境撮像部
５５〜５７  信号選択部
【図１】
2017220838.tif 000003
【図２】
2017220838.tif 000004
【図３】
2017220838.tif 000005
【図４】
2017220838.tif 000006
【図５】
2017220838.tif 000007
【図６】
2017220838.tif 000008
【図７】
2017220838.tif 000009
【図８】
2017220838.tif 000010
【図９】
2017220838.tif 000011
【図１０】
2017220838.tif 000012
【図１１】
2017220838.tif 000013